【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
情報を処理するサーバによる情報処理方法であって、
店舗で使用されるコードに関連したコード情報と、端末のユーザを識別するための識別情報とを関連付けることと、
前記識別情報と関連付けられたコード情報を、前記識別情報により識別されるユーザの端末に送信することと、
前記コード情報と、前記コード情報に関連付けられた、前記店舗での取引に関する情報である取引情報と、を外部装置から受信することと、
受信した前記コード情報に関連付けられた前記識別情報と、受信した前記コード情報に関連付けられた前記取引情報とを関連付けることとを含む。
【請求項２】
請求項１に記載の情報処理方法であって、
前記受信することは、前記店舗に設置されるコード読取装置で読み取られた前記コードに関連する前記コード情報を受信する。
【請求項３】
請求項２に記載の情報処理方法であって、
前記受信することは、前記店舗での取引対象のコードである取引コードに関連した取引コード情報を含む前記取引情報を受信することを含み、
前記取引コードは、前記店舗に設置される前記コード読取装置で読み取られる。
【請求項４】
請求項２または請求項３に記載の情報処理方法であって、
前記コード情報は、前記コード読取装置による読み取りに基づき出力される価格情報が関連付けられている。
【請求項５】
請求項４に記載の情報処理方法であって、
前記価格情報は、価格がゼロであることを示す情報を含む。
【請求項６】
請求項３から請求項５のいずれか一項に記載の情報処理方法であって、
前記取引情報は、前記コード読取装置で読み取られた前記取引コードに関連した前記取引コード情報に関連付けられた価格情報が含まれる。
【請求項７】
請求項１から請求項６のいずれか一項に記載の情報処理方法であって、
前記取引情報と関連付けられた前記コード情報に関連付けられている前記識別情報と、特典に関する特典情報とを関連付けることをさらに含む。
【請求項８】
請求項７に記載の情報処理方法であって、
前記コード情報と前記識別情報とを関連付けることは、前記コード情報と有効期限とを関連付けることを含み、
前記特典情報は、受信した前記コード情報に関連付けられている有効期限に基づいて、前記識別情報に関連付けられる。
【請求項９】
請求項８に記載の情報処理方法であって、
前記特典情報は、受信した前記コード情報に関連付けられている前記有効期限を経過していない場合、前記識別情報に関連付けられ、受信した前記コード情報に関連付けられている前記有効期限を経過し、前記有効期限から起算される期間である待機期間内の場合、前記識別情報に関連付けられない。
【請求項１０】
請求項８に記載の情報処理方法であって、
前記識別情報は、受信した前記コード情報に関連付けられている前記有効期限を経過していない場合、前記取引情報と関連付け、受信した前記コード情報に関連付けられている前記有効期限を経過し、前記有効期限から起算される期間である待機期間内の場合、前記取引情報とを関連付ける。
【請求項１１】
請求項１から請求項１０のいずれか一項に記載の情報処理方法であって、
前記取引情報と関連付けられた前記コード情報に関連付けられている前記識別情報によって識別されるユーザの端末に、特典に関する特典情報を送付することをさらに含む。
【請求項１２】
請求項１から請求項１１のいずれか一項に記載の情報処理方法であって、
前記コード情報に関連付けられた前記識別情報を、前記識別情報とは異なる他の識別情報に更新する更新処理を実行することをさらに含む。
【請求項１３】
請求項１２に記載の情報処理方法であって、
前記コード情報と前記識別情報とを関連付けることは、前記コード情報と有効期限とを関連付けることを含み、
前記更新処理を実行することは、前記コード情報に関連付けられている前記有効期限が経過している場合、前記コード情報に関連付けられた前記識別情報を前記他の識別情報に更新することを含む。
【請求項１４】
請求項１３に記載の情報処理方法であって、
前記コード情報に関連付けられている前記有効期限が経過し、前記有効期限から起算される期間である待機期間内の場合、前記更新処理を実行しない。
【請求項１５】
請求項１４に記載の情報処理方法であって、
前記更新処理を実行する頻度と、識別情報が関連付けられているコード情報の数と、に基づいて、前記有効期限と前記待機期間との少なくとも一方を決定することをさらに含む。
【請求項１６】
サーバのコンピュータに実行させるためのプログラムであって、
店舗で使用されるコードに関連したコード情報と、端末のユーザを識別するための識別情報とを関連付けることと、
前記識別情報と関連付けられたコード情報を、前記識別情報により識別されるユーザの端末に送信することと、
前記コード情報と、前記コード情報に関連付けられた、前記店舗での取引に関する情報である取引情報と、を外部装置から受信することと、
受信した前記コード情報に関連付けられた前記識別情報と、受信した前記コード情報に関連付けられた前記取引情報とを関連付けることとを含む。
【請求項１７】
サーバであって、
店舗で使用されるコードに関連したコード情報と、端末のユーザを識別するための識別情報とを関連付ける第１関連付け部と、
前記識別情報と関連付けられたコード情報を、前記識別情報により識別されるユーザの端末に送信し、前記コード情報と、前記コード情報に関連付けられた、前記店舗での取引に関する情報である取引情報と、を外部装置から受信する通信部と、
受信した前記コード情報に関連付けられた前記識別情報と、受信した前記コード情報に関連付けられた前記取引情報とを関連付ける第２関連付け部とを備える。
【請求項１８】
サーバと、端末と、外部装置とを含むシステムであって、
前記サーバは、店舗で使用されるコードに関連したコード情報と、前記端末のユーザを識別するための識別情報とを関連付ける第１関連付け部と、前記識別情報と関連付けられたコード情報を、前記識別情報により識別されるユーザの前記端末に送信する第１通信部とを備え、
前記端末は、前記第１通信部から送信される前記コード情報を受信する第２通信部と、受信した前記コード情報に基づくコードを表示する表示部とを備え、
前記外部装置は、前記店舗に設置されるコード読取装置で読み取られた、前記表示部に表示される前記コードに関連した前記コード情報と、前記店舗での取引に関する情報である取引情報と、を前記サーバに送信する第３通信部とを備え、
前記サーバの前記第１通信部は、前記第３通信部から送信された前記コード情報と、前記第３通信部から送信され、前記コード情報と関連付けられた、前記店舗での取引に関する情報である取引情報とを受信し、
前記サーバは、前記第１通信部によって受信した前記コード情報に関連付けられた前記識別情報と、前記第１通信部によって受信した前記コード情報に関連付けられた前記取引情報とを関連付ける第２関連付け部をさらに備える。
【請求項１９】
請求項１８に記載のシステムであって、
前記第１通信部は、前記店舗での取引対象のコードである取引コードに関連した取引コード情報を含む前記取引情報を受信し、
前記取引コードは、前記コード読取装置で読み取られる。
【請求項２０】
請求項１９に記載のシステムであって、
前記店舗に設置され、前記コード読取装置で読み取られた前記コードに関連した前記コード情報に関連付けられた価格情報と、前記コード読取装置で読み取られた前記取引コードに関連した前記取引コード情報に関連付けられた価格情報である取引価格情報とを印字したレシートを発行する発行装置をさらに含む。
【手続補正２】
【補正対象書類名】明細書
【補正対象項目名】発明の名称
【補正方法】変更
【補正の内容】
【発明の名称】情報処理方法、プログラム、サーバ、およびシステム
【手続補正３】
【補正対象書類名】明細書
【補正対象項目名】０００６
【補正方法】変更
【補正の内容】
【０００６】
本発明の一実施形態に係る情報処理方法は、情報を処理するサーバによる情報処理方法であって、店舗で使用されるコードに関連したコード情報と、端末のユーザを識別するための識別情報とを関連付けることと、前記識別情報と関連付けられたコード情報を、前記識別情報により識別されるユーザの端末に送信することと、前記コード情報と、前記コード情報に関連付けられた、前記店舗での取引に関する情報である取引情報と、を外部装置から受信することと、受信した前記コード情報に関連付けられた前記識別情報と、受信した前記コード情報に関連付けられた前記取引情報とを関連付けることとを含む。
また、本発明の一実施形態に係るプログラムは、サーバのコンピュータに実行させるためのプログラムであって、店舗で使用されるコードに関連したコード情報と、端末のユーザを識別するための識別情報とを関連付けることと、前記識別情報と関連付けられたコード情報を、前記識別情報により識別されるユーザの端末に送信することと、前記コード情報と、前記コード情報に関連付けられた、前記店舗での取引に関する情報である取引情報と、を外部装置から受信することと、受信した前記コード情報に関連付けられた前記識別情報と、受信した前記コード情報に関連付けられた前記取引情報とを関連付けることとを含む。
また、本発明の一実施形態に係るサーバは、店舗で使用されるコードに関連したコード情報と、端末のユーザを識別するための識別情報とを関連付ける第１関連付け部と、前記識別情報と関連付けられたコード情報を、前記識別情報により識別されるユーザの端末に送信し、前記コード情報と、前記コード情報に関連付けられた、前記店舗での取引に関する情報である取引情報と、を外部装置から受信する通信部と、受信した前記コード情報に関連付けられた前記識別情報と、受信した前記コード情報に関連付けられた前記取引情報とを関連付ける第２関連付け部とを備える。
また、本発明の一実施形態に係るシステムは、サーバと、端末と、外部装置とを含むシステムであって、前記サーバは、店舗で使用されるコードに関連したコード情報と、前記端末のユーザを識別するための識別情報とを関連付ける第１関連付け部と、前記識別情報と関連付けられたコード情報を、前記識別情報により識別されるユーザの前記端末に送信する第１通信部とを備え、前記端末は、前記第１通信部から送信される前記コード情報を受信する第２通信部と、受信した前記コード情報に基づくコードを表示する表示部とを備え、前記外部装置は、前記店舗に設置されるコード読取装置で読み取られた、前記表示部に表示される前記コードに関連した前記コード情報と、前記店舗での取引に関する情報である取引情報と、を前記サーバに送信する第３通信部とを備え、前記サーバの前記第１通信部は、前記第３通信部から送信された前記コード情報と、前記第３通信部から送信され、前記コード情報と関連付けられた、前記店舗での取引に関する情報である取引情報とを受信し、前記サーバは、前記第１通信部によって受信した前記コード情報に関連付けられた前記識別情報と、前記第１通信部によって受信した前記コード情報に関連付けられた前記取引情報とを関連付ける第２関連付け部をさらに備える。